(57)【要約】【課題】  建築物及び乗り物の水洗式トイレの設備用品であるトイレット、ペーパー、ホルダーにおいて、ペーパーの取り出しが迅速にできない、又引き出し後、切断に両手を必要とし、非能率である。【手段】  ペーパーを切断した場合に、切り残ったペーパー先端を垂れ下げ、次回使用に際し摘み易くする、又引き出しを終えたペーパーを上方に引上げ操作にて片手にて切断を可能とする。【選択図】図３
2010057879.tif 000002
【特許請求の範囲】
【請求項１】
トイレットペーパーの巻本体を横体に設置し、ペーパーを前方に引き出すように成し、このペーパー巻本体の上部にペーパー押さえ板を設ける。
中央部に支点を設けた要素取付板の前端にペーパー切断刃を設け、後端にペーパー押さえ具を設け、該要素取付板の支点をペーパー押さえ板の裏面に可動自在に装着して成ることを特徴としたトイレットペーパーホルダー。
【請求項２】
請求項１記載のトイレットペーパーホルダーにおいて、ペーパー巻本体より引き出したるペーパーを上方に引くことによりペーパーをペーパー切断刃に押し当てペーパーを切断する方法を特徴とするトイレットペーパーホルダー。
【発明の詳細な説明】
【発明の分野】
【０００１】  本発明は、一般家屋及び建築物のトイレ、又は船舶、航空機、大形車両等のトイレに設備されるトイレットペーパーホルダーに関するものである。
【背景技術】
【０００２】  人間が住居にトイレを作り排便後において、払拭に用紙を使用するようになったが、当初は単なる紙片又は、それに代わる物を使用して居た。
生活様式が進歩するにつれ、トイレは水洗式となり、用紙は水溶性の長い帯状のものを巻いたものになった。
ローラー状に巻かれたトイレットペーパーを引き出し易くするための用具が市場にて多数販売されて居るが、構成上の相違は、僅少であり、使い易く好適と認められる物は皆無である。
最近に至り水にてペーパーを切断するものが、市場に出現しているが、このものは性能的に良好であるとしても、水の管理、補給に問題があり、それがネックになって居る。
【発明の開示】
【発明が解決しようとする課題】
【０００３】  現今の市場にて販売されているトイレットペーパーホルダーは、一応の使用に可能なものであるが、ペーパーを切断した場合に、その切断されたるペーパーの切り口が、ペーパーを巻きたる巻本体に食い込み、次回の引き出しに際して容易、迅速にペーパーの端末を摘む事ができない、この不便が現在ホルダーの最大欠点である。
現今のホルダーはペーパーを摘み引き出す操作及び、ペーパーを切断する操作は、両手を必要とする、世間において片手の障害者は極めて少数であるとしても、片手にて操作可能な方式が簡単にできれば、それは使用上において、真に使い便利なホルダーになる。
【課題を解決するための手段】
【０００４】  本発明は上記問題点を解決するためになされたものであって、その解決手段として従来のトイレットペーパーホルダーのペーパー押さえ板の裏面にペーパー切断装置を設ける、
この方法によれば、一部品の付加にて従来ホルダーを改良し得る事ができ得策である、新規に全体を作る事も勿論可能である。
本発明のペーパー切断装置は中央部に支点を設けた要素取付板の前端にペーパー切断刃を設け、後端にペーパー押さえ具を設けて成るものである、このものの支点部をペーパー押さえ板の裏面に可動自在に装着する、このものの下をペーパーが通過する。
引き出しを終えたペーパーを切断する場合は、ペーパーを摘み引き出したる手を上方にあげペーパー切断刃の刃先をペーパーにて押し上げる。
ペーパー切断刃を上に押しあげる事により支点を介して後端のペーパー押さえ具は下がりペーパーを押さえ制止させる、ペーパーが停止しないと良い切断ができない、切断時はペーパーを確実に停止させる事が必要である、鈍い刃先にて切断する場合は特にペーパー押さえを確実にする事が必須の要件である、鋭利な切断刃をトイレホルダーに使用することは、危険であるため安全面にて使用できない。
ペーパー押さえ具の素材としては、多種、多様な物が利用できるが、メラミンフォーム、、ポリウレタンフォーム等のような化学素材にて作られたスポンジは、トイレットペーパーに軽く圧する程度にてもトイレットペーパーは完全に停止するため、好適な素材である、他の素材にても利用し得る物であれば、どのような素材を使用しても良い事は勿論である。
【発明の効果】
【０００５】  従来のトイレットペーパーホルダーは、極めて簡素な構成であって実用的な日用具であるが、ペーパー巻本体の本体上にてペーパー切断をするため、使用に際して、ペーパーの端末を取り出す事が困難である、本発明はこの欠点を解決したものであって、切断位置をペーパー巻本体より離して、次回のペーパー引き出しを容易にしている。
更にペーパーの引き出し操作、切断操作ガ片手にても可能であるため従来に比し使用操作が各段に軽便化される。
【発明を実施するための最良の形態】
【０００６】  上部にペーパー押さえ板を設け、その下にペーパー巻本体を入れ止める方式の物が従来のトイレットペーパーホルダーであるが、本発明は従来方式のペーパー押さえ板の裏面に、ペーパー切断装置を設けたものである、このペーパー切断装置は，中央部に支点を設けた要素取付板の前端にペーバー切断刃、後端にペーパー押さえ具を設けたものである。
【実施例】
【０００７】  従来のトイレットペーパーホルダーは簡潔な構成であるため堅牢で安価であり、一応、良好な器具として今日まで使用されて来たが、この物は、ペーパーを巻いた、そのペーパー巻本体の上面にてペーパーを切断するため、切断されたペーパーの切り口が、ペーパーの巻本体に食い込み、次回の使用に際して、ペーパーの摘み出しが困難であった。
本発明は、この欠点を解決するために成されたものであって、以下本発明を図面に基づき詳細に説明する、［図１］は従来のトイレットペーパーホルダーの側面図であって、３はペーパーである、２はペーパー３を巻いたペーパー巻本体である、１はペーパー巻本体２の上に設けられたペーパー押さえ板である。
［図１］に示す従来のトイレットペーパーホルダーは、ペーパー３を切断する場合に、ペーパー押さえ板１にてペーパー３を押さえて切断していた、この方法は手軽に切断ができ便利であるが、次回の使用に際してペーパー３の摘み出しが迅速にできない、これが従来ホルダーの欠点である、本発明は従来方式に切断機構を付加し従来の欠点を解決したものである。【０００８】  ［図２］は本発明のトイレットペーパーホルダーにおいて、ペーパー３を引き出したる場合を示す側面図である。
本発明は、従来のトイレットペーパーホルダーのペーパー押さえ板１の裏面に切断機構を付加したものである、この切断機構は、中央部に支点５を設けた要素取付板４の前端にペーパー切断刃６，後端にペーパー押さえ具７を設けて成るものであって、支点５をペーパー押さえ板１の裏面に装着するが、この装着方法として、従来ホルダーに取り付ける場合は、接着方式になり、全体を新規に作る場合は支点５の結合部を当初より作る。
ペーパー押さえ具７とペーパー切断刃６は、ペーパー３の引き出し時においては、ペーパー３に接触しないよう配慮される。【０００９】  ［図３］は本発明のトイレットペーパーホルダーにおいて、引き出したるペーパー３を切断する場合を示す側面図である。
本発明は引き出したるペーパー３を切断する方法として、ペーパー３を摘み持った手を上方に挙げペーパー３にて、ペーパー切断刃６を押し上げる、ペーパー切断刃６の刃先は安全性を考慮して鋭利に作られていない、そのためペーパー切断刃６は上に押し上げられる、このため支点５を介して、ペーパー押さえ具７は下降しペーパー３を押さえる。
ペーパー押さえ具７はスポンジのような弱い弾性の素材を利用しており、軽くペーパー３を押さえる事によりペーパー３は停止する、トイレットのペーパー３を停止可能にする素材は、多種類あるが、化学性スポンジが適材であり、特にメラミンフォーム製のスポンジは停止効果が良好である、このペーパー３を確実に停止させる事が良い切断の必須要件である、このため、本発明の最重要部はスポンジ製のペーパー押さえ具７である。
鋭利な刃先を利用すれば、ペーパー３を停止せしめる必要は無い、しかし鋭利な刃先は危険にて、保安上、実施できない。
トイレットペーパーは薄くて切断の容易な紙であるため、本発明の方式にては鈍い刃先にてもペーパー３を停止させば容易に切断は可能である。
ペーパー３を切断する場合は、ペーパー３を上にあげる事により、ペーパー切断刃６を押し上げ、ペーパー押さえ具７を下降させる、ペーパー３が更に上がるとペーパー切断刃６の刃先はペーパー３に深く入りペーパー３は切断される、実際において、この切断作用の工程は一瞬にてなされるものである。
切り離された側のペーパー３は使用者の目的に使用され、切り残された側のペーパー３の端末はそこに垂れ下がるため次回の使用に際し、容易に摘む事ができ迅速に引き出しができる、本発明はペーパー３の引き出し、切断の操作が片手にて出来、至極使い便利なホルダーである。
本発明はこのような実施例に何等限定されるものでなく、発明の要旨を逸脱しない範囲において種々なる態様にて実施し得る事は勿論である。
【産業上の利用の可能性】
【００１０】  現在社会に使用されている建築物、及び乗り物に使用されているトイレットペーパーホルダーは機能性の全く無いものであるため、安価にて使用便利な本発明は今後、大まく活用されることが期待されている。
【図面の簡単な説明】
【００１１】
【図１】は従来のトイレットペーパーホルダーの側面図である。
【図２】は本発明のトイレットペーパーホルダーにおいて、ペーパーを引き出したる場合の側面図である。
【図３】は本発明のトイレットペーパーホルダーにおいて、ペーパーを切断する場合の側面図である。
【符号の説明】
【００１２】１  ペーパー押さえ板
２  ペーパー巻本体
３  ペーパー
４  要素取付板
５  支点
６  ペーパー切断刃
７  ペーパー押さえ具
【図１】
2010057879.tif 000003
【図２】
2010057879.tif 000004
【図３】
2010057879.tif 000005